(57)【要約】      （修正有）【課題】簡易な構造で構成されるインキカートリッジに油性インキを収容したり、収容部を大きくしてインキ収容量を増加させた場合であっても、開口部下向きでの落下時に衝撃で栓体がずれたり、栓体外れを生じることを抑制できるため、保管時（使用前の状態）の落下に伴うインキ漏れを確実に防止できる筆記具用インキカートリッジを提供する。【解決手段】一端が開口され且つ他端が閉鎖された容器２と、該容器を密栓する栓体３とからなり、前記容器２の開口部内に栓体３を嵌着することによって内部にインキ収容部２１を構成してなる筆記具用インキカートリッジ１であって、前記栓体３が上方に延設される突起３１を備えてなり、前記突起３１の上端面３２と、容器の開口端面２５とが面一である。【選択図】図１
2011206982.tif 000002
【特許請求の範囲】
【請求項１】
一端が開口され且つ他端が閉鎖された容器と、該容器を密栓する栓体とからなり、前記容器の開口部内に栓体を嵌着することによって内部にインキ収容部を構成してなる筆記具用インキカートリッジであって、前記栓体が上方に延設される突起を備えてなり、前記突起の上端面と、容器の開口端面とが面一であることを特徴とする筆記具用インキカートリッジ。
【請求項２】
前記栓体の横断面積が、３０〜５３０ｍｍ２の範囲にあることを特徴とする請求項１記載の筆記具用インキカートリッジ。
【請求項３】
２０℃における主溶剤の蒸気圧が５ｍｍＨｇ〜８０ｍｍＨｇの範囲にある油性インキをインキ収容部に収容してなることを特徴とする請求項又は２に記載の筆記具用インキカートリッジ。
【発明の詳細な説明】
【技術分野】
【０００１】
本発明は筆記具用インキカートリッジに関する。更には、油性インキや多量のインキを収容した筆記具用インキカートリッジに関する。
【背景技術】
【０００２】
従来、筆記具に用いられるインキカートリッジとしては、水性インキを収容した容器の上方開口部に、球状、円盤状等の栓体（パッキング）を嵌着した簡易な構造で構成されたものが用いられている（例えば、特許文献１乃至３参照）。
【先行技術文献】
【特許文献】
【０００３】
【特許文献１】実公昭４７−２５６１３号公報
【特許文献２】特開２００１−２８７４９４号公報
【特許文献３】特開２００５−３２４３３６号公報
【０００４】
前記カートリッジは簡易な構造で構成されているが、単体での保管時には栓体が外れ難く、筆記具装着時には栓体が押圧されることで容易に外れるように形成されるものである。
しかしながら、水性インキに比べて蒸気圧が高い油性インキをカートリッジ内に収容した場合、保管時に温度や気圧の変化に伴って内圧が上昇した状態でカートリッジが落下した際、特に開口部下向きで地面と接触することで栓体がずれることや外れることがあるため、インキ漏れを生じる虞がある。
また、カートリッジ収容部の内径や深さを長くして収容するインキ量を増加した場合においても、開口部下向きでの落下時に容器内方から栓体にかかる力（インキによる押圧力）が増加するため、栓体がずれたり外れたりすることでインキ漏れを生じる虞がある。
特にいずれの場合も、容器開口部側が地面と水平に接触した際に栓体への負荷が大きくなることから、最もインキ漏れを生じ易い条件となる。
【発明の概要】
【発明が解決しようとする課題】
【０００５】
本発明は前記問題を解消するものであって、簡易な構造で構成されるインキカートリッジに油性インキを収容したり、収容部を大きくしてインキ収容量を増加させた場合であっても、開口部下向きでの落下時に衝撃で栓体がずれたり、栓体外れを生じることを抑制できるため、保管時（使用前の状態）の落下に伴うインキ漏れを確実に防止できる筆記具用インキカートリッジを提供するものである。
【課題を解決するための手段】
【０００６】
本発明は、一端が開口され且つ他端が閉鎖された容器と、該容器を密栓する栓体とからなり、前記容器の開口部内に栓体を嵌着することによって内部にインキ収容部を構成してなる筆記具用インキカートリッジであって、前記栓体が上方に延設される突起を備えてなり、前記突起の上端面と、容器の開口端面とが面一であることを要件とする。
更に、前記栓体の横断面積が、３０〜５３０ｍｍ２の範囲にあること、２０℃における主溶剤の蒸気圧が５ｍｍＨｇ〜８０ｍｍＨｇの範囲にある油性インキをインキ収容部に収容してなることを要件とする。
尚、本発明において「上」とは、容器の開口方向を示し、「下」とは、容器の底部（閉鎖部）側を示す。
【発明の効果】
【０００７】
本発明により、容器の開口部分に栓体を取り付けた簡易な構造で構成される筆記具用インキカートリッジであっても、油性インキを収容した際に生じ易い内圧上昇時の落下による接触衝撃に伴う栓体外れや、収容部を大きくしてインキ収容量を増加した際に生じ易い落下時の接触衝撃に伴うインキによる栓体押圧で発生する栓体外れを抑制できるため、保管時（筆記具装着前）の落下に伴うインキ漏れを確実に防止できる。
【図面の簡単な説明】
【０００８】
【図１】本発明の筆記具用インキカートリッジの一実施例を示す縦断面図である。
【図２】本発明の筆記具用インキカートリッジの他の実施例を示す縦断面図である。
【発明を実施するための形態】
【０００９】
本発明の筆記具用インキカートリッジは、容器の一端に設けられた開口部分に栓体を嵌着することで形成されるインキ収容部内に、油性インキや多量のインキを収容してなる簡易構造の筆記具用インキカートリッジであり、前記栓体に突部を設けたものである。
【００１０】
前記容器は、一端（上方）を開口し、内部にインキ収容部を形成するための底壁（閉鎖部分）を他端（下方）に備えた筒状物であり、金属、樹脂等から形成されるものであるが、成形性が高く、安価に得られることから樹脂が好適である。特に、油性インキ（有機溶剤）に対して変形や溶解がされ難いことからポリプロピレンやポリエチレンが用いられる。また、径方向断面形状としてはどのような形状であってもよいが、栓体の組付性能が高い円形が好適である。
また、前記容器は透明、不透明のいずれであってもよいが、外側からインキ収容量が視認できるように、透明性を有する材質で形成することが好ましい。
更に、容器の内壁面には、軸方向に伸びるリブや溝を設けることができる。これにより、筆記具接続時のインキの誘導性を高めたり、透明性を有する場合には外側からの視認性を高めることが可能となる。
【００１１】
前記容器内壁面の上方部分（開口部近傍）には、栓体を挿入保持するために用いられるテーパー、リブ、溝部等を形成することが好ましい。これにより、栓体取付時の挿入性を向上させたり、栓体の取付位置が明確になると共に、嵌着力を強固にすることができる。
【００１２】
前記栓体としては、開口部内に嵌着可能な大きさで開口部を密閉できる形状の樹脂成形物や金属加工物が用いられ、特に、油性インキ（有機溶剤）に接触しても変形や溶解がされ難い材質が適用される。
前記栓体は、容器嵌着時において、インキ収容部内側からの抜け力が１．５ｋｇ／ｃｍ２以上になるように設定されることが好ましい。これにより、内圧変化が大きい場合であっても、内側からの押力で栓体が外れることを防止できる。
特に、多量のインキを収容することを目的とし、前記栓体の横断面積（即ち、インキ収容部の開口部分の表面積）が大きいカートリッジ、具体的には太軸筆記具内に収容可能となる３０〜５３０ｍｍ２の範囲にある場合、インキ収容量が多く、開口部下向きでの落下時に容器内方から栓体にかかる力（即ち、インキによる押圧力）が増加するため、本発明の構成がより有用なものとなる。
【００１３】
また、密閉時に上方（開口部端面側）となる位置に、突起が形成されており、該突起の頂部が密閉状態で容器の開口部端面と面一となるように設定されている。更に、前記突起部の頂部は、平面、曲面、鋭頭のいずれであってもよく、複数形成することも可能である。いずれの場合も開口部端面が地面に面接触した状態で、前記頂部も接触する構造となっている。
これによりインキカートリッジが開口部下向きで落下した場合であっても、開口部端面が地面に面接触した際に前記突起も同時に地面と接触するため、栓体が移動することを抑制できる。
尚、前記突起部分の形成方法としては、栓体本体との一体成形又は別体による接続のいずれであってもよい。
【００１４】
前記インキ収容部には水性インキ又は油性インキのうち、適用する筆記具に応じたインキを収容できる。
前記油性インキとしては、主溶剤にアルコール、ケトン、エステル、炭化水素、グリコールエーテル等の有機溶剤が用いられ、具体的には、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール、ｔｅｒｔ−アミルアルコール、ベンジルアルコール、エチレングリコール、ジエチレングリコール、プロピレングリコール、ベンジルグリコール、エチレングリコールモノメチルエーテル、エチレングリコールジエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノエチルエーテル、ジエチレングリコールモノフェニルエーテル、プロピレングリコールモノメチルエーテル、プロピレングリコールモノエチルエーテル、プロピレングリコールモノフェニルエーテル、ジプロピレングリコールモノエチルエーテル、ジプロピレングリコールモノフェニルエーテル、トリプロピレングリコールモノメチルエーテル、トリプロピレングリコールモノエチルエーテル、トリプロピレングリコールモノフェニルエーテル、ｎ−ヘプタン、ｎ−オクタン、イソオクタン、メチルシクロヘキサン、エチルシクロヘキサン、トルエン、キシレン、エチルベンゼン、メチルイソブチルケトン、メチルｎ−プロピルケトン、メチルｎ−ブチルケトン、ジ−ｎ−プロピルケトン、ギ酸ｎ−ブチル、ギ酸イソブチル、酢酸メチル、酢酸ｎ−プロピル、酢酸イソプロピル、酢酸ｎ−ブチル、酢酸イソブチル、プロピオン酸エチル、プロピオン酸ｎ−ブチル、酪酸メチル、酪酸エチル、炭酸ジメチル、炭酸ジエチル、炭酸プロピル等を例示できる。
前記有機溶剤は一種又は二種以上を混合して用いてもよく、インキ組成中３０〜９０重量％の範囲で用いられる。
【００１５】
特に、前記有機溶剤のうち、２０℃における蒸気圧が５ｍｍＨｇ〜８０ｍｍＨｇの範囲のものを適用した場合、本願構成がより有用なものとなる。前記蒸気圧の溶剤は筆跡乾燥性に優れているため筆記具用油性インキに好適であるが、本願構成のカートリッジであればインキ漏れを生じることなく収容保存できる。
【００１６】
更に、前記油性インキ中には、染料、顔料等の着色剤、樹脂等、従来からインキを構成する組成物が添加される他、必要に応じて、酸化防止剤、耐ドライアップ性付与剤、紫外線吸収剤、防錆剤、潤滑剤、粘度調整剤、剥離剤、顔料分散剤、消泡剤、剪断減粘性付与剤、界面活性剤等の各種添加剤を用いることができる。
【００１７】
前記筆記具用インキカートリッジは筆記具に取り付けられて使用されるが、前記筆記具としては、構造や形状を特に限定することなく汎用のカートリッジ式のボールペンやマーキングペンの形態で使用できる。
例えば、繊維ペン体、フェルトペン体、プラスチックペン体、万年筆型金属ペン体等のマーキングペンチップや、ボールペンチップをペン先として軸筒前方の筆記先端部に装着し、軸筒内部に筆記先端部と接続状態に収容した繊維束からなるインキ吸蔵体に、インキカートリッジ内のインキを誘導し、該インキを筆記先端部に供給する構造、筆記先端部後方に櫛溝状のインキ流量調節部材や繊維束からなるインキ流量調節部材を介在させ、該インキ流量調節部材の後方にインキカートリッジを取り付ける構造、軸筒内部の筆記先端部とインキカートリッジとの間に弁機構を設け、前記筆記先端部に所定量のインキを供給する構造のマーキングペン（サインペン、フェルトペン、筆ペン等）やボールペンが挙げられる。
尚、前記筆記具には、インキカートリッジを取り付けた際に栓体の特定位置を押圧するための突起部を設けることが好ましい。これにより、小さい押圧力で容易に栓体を外すことが可能なものとなる。
【実施例】
【００１８】
本発明の実施例を以下の図面に従って説明する。
図１は本発明の第一の形態の筆記具用インキカートリッジを表す断面図であり、図２は第二の形態の筆記具用インキカートリッジを表す断面図である。
【００１９】
実施例１（図１参照）
筆記具用インキカートリッジ１は、上端を開口し下端が閉鎖された有底円筒状体であり、合成樹脂（具体的にはポリプロピレン樹脂）の射出成形またはブロー成形により得られる容器２の上方開口部分の内側壁面に栓体３が嵌着されている。また、前記容器２内には、油性インキ４が直接収容されるインキ収容部２１（内径１．４ｃｍ、容積６ｃｍ３）が設けられると共に、栓体３が嵌着される環状突部２２が形成されている。
【００２０】
前記栓体３はポリプロピレン樹脂成形物からなる円盤状物（横断面積１８７ｍｍ２）であり、上方に突起３１を一体に備え、径方向への弾性を付与するために容器２と当接する部分（円周状端部）の上下両縁が薄肉状に形成される。これにより、カートリッジの組立時に容器２内に挿入された栓体３を押圧嵌着した際、インキ収容部２１の十分な気密が得られる。特に、栓体３が当接する容器２内側の壁面部分に２本の環状突部２２を設け、該環状突部２２間に栓体３を嵌着することで、栓体３をより確実に嵌着保持することができる。
尚、前記突起３１の頂部３２は平面状に形成されており、密閉時に容器２の開口端部（端面）２５と面一となっている。そのため、インキカートリッジが開口部下向きで落下した際、開口端部２５が地面に面接触した場合であっても、開口端部と共に突起３２も同時に地面と接触するため、内側からのインキ押圧に伴って栓体３が外れることを抑制できる。
【００２１】
前記油性インキ４は、溶剤としてエタノール（２０℃における蒸気圧：４５ｍｍＨｇ）とイソプロピルアルコール（２０℃における蒸気圧：３２．４ｍｍＨｇ）を用いて、顔料、樹脂、剥離剤等の添加剤を含有する筆記板用油性インキであり、筆記時の筆跡乾燥性及び消去性に優れたものである。
【００２２】
実施例２（図２参照）
栓体３以外は実施例１と同様の形態で筆記具用インキカートリッジ１が構成されている。
前記栓体３はポリプロピレン樹脂成形物からなる円盤状物（横断面積１８７ｍｍ２）であり、上方に二本の突起３１を一体に備え、径方向への弾性を付与するために容器２と当接する部分（円周状端部）の上下両縁が薄肉状に形成される。
【００２３】
前記突起３１の各頂部３２は平面状に形成されており、密閉時に容器２の開口端部（端面）２５と面一となっている。そのため、インキカートリッジが開口部下向きで落下した際、開口端部２５が地面に面接触した場合であっても、開口端部と共に突起３２も同時に地面と接触するため、内側からのインキ押圧に伴って栓体３が外れることを抑制できる。
また、前記二本の突起３１は、実施例１の突起よりも細い棒状物で形成することにより可撓性を有している。そのため、インキカートリッジ落下時に開口端部２５が強く地面に面接触した際に、開口端部２５の接触によって開口部２４が撓んで変形した場合であっても、各突起３１も同様に撓むため、開口端部２５と面一の状態を保つことができる。この場合、開口部２３側から栓体３（環状突部２２との嵌着部）にかかる衝撃力と、容器内側から栓体３にかかるインキ押力が均一化されるため、突起３１が開口端部２５から突出した場合と比べて栓体３の嵌着状態をより安定して保持できる。
【符号の説明】
【００２４】
１  筆記具用インキカートリッジ
２  容器
２１  インキ収容部
２２  環状突部
２３  空間部
２４  開口部
２５  開口端部
３  栓体
３１  突起
３２  頂部
４  油性インキ
【図１】
2011206982.tif 000003
【図２】
2011206982.tif 000004